(57)【特許請求の範囲】
【請求項１】
路面に接地するトレッドと、
前記トレッドに設けられ、前記トレッドのタイヤ幅方向中央側から前記トレッドの接地端に向けて延びて陸部を区画する複数のラグ溝と、
を備え、
適用リムに装着してタイヤ規格の最大負荷能力に対応する最大空気圧を充填し、水平、かつ平坦な路面に対してタイヤ回転軸を前記路面と平行にした状態で最大負荷能力の１００％の荷重を負荷させた状態で前記ラグ溝を溝長手方向に沿った断面で見たときに、前記ラグ溝は、接地端側においては、溝深さがタイヤ赤道面側から接地端に向けて溝深さが浅くなるように形成されて溝底が前記路面と接地した前記トレッドの踏面に対して傾斜しており、前記接地端を通り前記踏面に対して直角な方向に延びる仮想線と前記ラグ溝の溝底との交点をＰ１とし、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記踏面と前記交点Ｐ１から前記交点Ｐ３に至る前記ラグ溝の前記溝底とが成す平均の傾斜角度θ１が５°以下に設定されており、
前記接地端を有する前記陸部には、前記陸部のタイヤ幅方向内側端からタイヤ幅方向外側に向けて延び、かつ接地端を横断する複数のサイプが形成されており、
複数の前記サイプの内の少なくとも半数以上の前記サイプにおいては、接地端からタイヤ幅方向内側へ２０ｍｍの範囲内に、高さ２ｍｍ以上４ｍｍ以下の第１の底上げ部が設けられている、空気入りタイヤ。
【請求項２】
路面に接地するトレッドと、
前記トレッドに設けられ、前記トレッドのタイヤ幅方向中央側から前記トレッドの接地端に向けて延びて陸部を区画する複数のラグ溝と、
を備え、
適用リムに装着してタイヤ規格の最大負荷能力に対応する最大空気圧を充填し、水平、かつ平坦な路面に対してタイヤ回転軸を前記路面と平行にした状態で最大負荷能力の１００％の荷重を負荷させた状態で前記ラグ溝を溝長手方向に沿った断面で見たときに、前記ラグ溝は、接地端側においては、溝深さがタイヤ赤道面側から接地端に向けて溝深さが浅くなるように形成されて溝底が前記路面と接地した前記トレッドの踏面に対して傾斜しており、前記接地端を通り前記踏面に対して直角な方向に延びる仮想線と前記ラグ溝の溝底との交点をＰ１とし、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記踏面と前記交点Ｐ１から前記交点Ｐ３に至る前記ラグ溝の前記溝底とが成す平均の傾斜角度θ１が５°以下に設定されており、
複数の前記ラグ溝で区画される前記陸部が、前記ラグ溝と交差する方向に延びる複数の周方向溝によってタイヤ幅方向に複数のブロックに区画され、
前記接地端を有する前記ブロックには、複数のサイプが形成され、
複数の前記サイプの内の少なくとも半数以上の前記サイプにおいては、前記ブロックのタイヤ幅方向内側端から前記接地端側へ、前記タイヤ幅方向内側端から前記接地端までの距離の４０％離れた位置までの間の範囲内に、高さ２ｍｍ以上５ｍｍ以下の第２の底上げ部が設けられている、空気入りタイヤ。
【請求項３】
路面に接地するトレッドと、
前記トレッドに設けられ、前記トレッドのタイヤ幅方向中央側から前記トレッドの接地端に向けて延びて陸部を区画する複数のラグ溝と、
を備え、
適用リムに装着してタイヤ規格の最大負荷能力に対応する最大空気圧を充填し、無負荷状態で前記ラグ溝を溝長手方向に沿った断面で見たときに、
前記ラグ溝は、接地端側においては、溝深さがタイヤ赤道面側から前記接地端に向けて溝深さが浅くなるように形成されて溝底が前記トレッドの踏面に対して傾斜しており、
前記接地端を通り前記踏面に対して直角な方向に延びる仮想線と前記ラグ溝の溝底との交点をＰ１、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記接地端と前記１／３点Ｐ２との間の前記踏面と、交点Ｐ１と交点Ｐ３との間の溝底とが成す平均の傾斜角度θ２が５°以下に設定されており、
前記接地端を有する前記陸部には、前記陸部のタイヤ幅方向内側端からタイヤ幅方向外側に向けて延び、かつ接地端を横断する複数のサイプが形成されており、
複数の前記サイプの内の少なくとも半数以上の前記サイプにおいては、接地端からタイヤ幅方向内側へ２０ｍｍの範囲内に、高さ２ｍｍ以上４ｍｍ以下の第１の底上げ部が設けられている、空気入りタイヤ。
【請求項４】
路面に接地するトレッドと、
前記トレッドに設けられ、前記トレッドのタイヤ幅方向中央側から前記トレッドの接地端に向けて延びて陸部を区画する複数のラグ溝と、
を備え、
適用リムに装着してタイヤ規格の最大負荷能力に対応する最大空気圧を充填し、無負荷状態で前記ラグ溝を溝長手方向に沿った断面で見たときに、
前記ラグ溝は、接地端側においては、溝深さがタイヤ赤道面側から前記接地端に向けて溝深さが浅くなるように形成されて溝底が前記トレッドの踏面に対して傾斜しており、
前記接地端を通り前記踏面に対して直角な方向に延びる仮想線と前記ラグ溝の溝底との交点をＰ１、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記接地端と前記１／３点Ｐ２との間の前記踏面と、交点Ｐ１と交点Ｐ３との間の溝底とが成す平均の傾斜角度θ２が５°以下に設定されており、
複数の前記ラグ溝で区画される前記陸部が、前記ラグ溝と交差する方向に延びる複数の周方向溝によってタイヤ幅方向に複数のブロックに区画され、
前記接地端を有する前記ブロックには、複数のサイプが形成され、
複数の前記サイプの内の少なくとも半数以上の前記サイプにおいては、前記ブロックのタイヤ幅方向内側端から前記接地端側へ、前記タイヤ幅方向内側端から前記接地端までの距離の４０％離れた位置までの間の範囲内に、高さ２ｍｍ以上５ｍｍ以下の第２の底上げ部が設けられている、空気入りタイヤ。
【請求項５】
前記溝底には、接地端からタイヤ幅方向内側へ向けて溝深さが一定とされた平坦部が設けられている、請求項１〜請求項４の何れか１項に記載の空気入りタイヤ。
【発明の詳細な説明】
【技術分野】
【０００１】
本発明は、空気入りタイヤに関するものである。
【背景技術】
【０００２】
従来、排水性能を得るために、トレッドにラグ溝を形成した空気入りタイヤが知られている（例えば、特許文献１参照）。
【先行技術文献】
【特許文献】
【０００３】
【特許文献１】特表２００８−３０８０１３号公報
【発明の概要】
【発明が解決しようとする課題】
【０００４】
従来より、空気入りタイヤでは、溝の排水性能によるウエット性能と、ブロック剛性によるドライ性能との高度な両立が求められている。
ここで、ラグ溝の排水性能を向上させるためには溝深さを深くする必要があり、ブロック剛性を高めるにはラグ溝の溝深さを浅くする必要がある。
しかしながら、ショルダー側の陸部の剛性を確保するために、トレッドの接地端付近において、単にラグ溝の溝深さを浅くすると、ショルダー側の陸部の剛性は高くなるが排水性能が低下する。
また、特許文献のようにラグ溝の溝底に突起を設けると、水の流れる際の抵抗となり、また、溝内で乱流を生じて水がスムーズに流れなくなる場合がある。
【０００５】
本発明は、上記の問題を解決しようとするものであり、ウエット性能とドライ性能とを高度に両立させることのできる空気入りタイヤを提供することを目的とする。
【課題を解決するための手段】
【０００６】
請求項１に記載の空気入りタイヤは、路面に接地するトレッドと、前記トレッドに設けられ、前記トレッドのタイヤ幅方向中央側から前記トレッドの接地端に向けて延びて陸部を区画する複数のラグ溝と、を備え、適用リムに装着してタイヤ規格の最大負荷能力に対応する最大空気圧を充填し、水平、かつ平坦な路面に対してタイヤ回転軸を前記路面と平行にした状態で最大負荷能力の１００％の荷重を負荷させた状態で前記ラグ溝を溝長手方向に沿った断面で見たときに、前記ラグ溝は、接地端側においては、溝深さがタイヤ赤道面側から接地端に向けて溝深さが浅くなるように形成されて溝底が前記路面と接地した前記トレッドの踏面に対して傾斜しており、前記接地端を通り前記踏面に対して直角な方向に延びる仮想線と前記ラグ溝の溝底との交点をＰ１とし、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記踏面と前記交点Ｐ１から前記交点Ｐ３に至る前記ラグ溝の前記溝底とが成す平均の傾斜角度θ１が５°以下に設定されており、前記接地端を有する前記陸部には、前記陸部のタイヤ幅方向内側端からタイヤ幅方向外側に向けて延び、かつ接地端を横断する複数のサイプが形成されており、複数の前記サイプの内の少なくとも半数以上の前記サイプにおいては、接地端からタイヤ幅方向内側へ２０ｍｍの範囲内に、高さ２ｍｍ以上４ｍｍ以下の第１の底上げ部が設けられている。
【０００７】
請求項１に記載の空気入りタイヤによれば、接地端側において溝深さがタイヤ赤道面側から接地端に向けて溝深さが浅くなるように形成されたラグ溝がトレッドに設けられているが、ラグ溝の接地端側の溝底の平均の傾斜角度θ１を５°以下に設定しているため、ウエット路面走行時、ラグ溝内に取り込まれてタイヤ幅方向中央側からトレッドの接地端に向けて流れる水を接地端付近でスムーズに流して接地面の外側へ排水することができると共に、接地端付近の陸部の剛性が確保される。
ここで、請求項１に記載の空気入りタイヤでは、接地端を有する陸部に複数のサイプが形成されているが、複数のサイプの内の少なくとも半数以上のサイプにおいて、接地端からタイヤ幅方向内側へ２０ｍｍの範囲内に、高さ２ｍｍ以上４ｍｍ以下の第１の底上げ部が設けられているため、陸部の接地端側の剛性を確保することができる。
また、請求項１に記載の空気入りタイヤによれば、第１の底上げ部を備えたサイプと、第１の底上げ部を備えていないサイプとを交互に配置し、互いに隣接するサイプ同士の間で、タイヤ周方向に第１の底上げ部を隣接しないようにすることができる。これにより、互いに隣接するサイプ同士の間で、タイヤ周方向に第１の底上げ部を隣接させた場合に比較して、第１の底上げ部による陸部の剛性向上効果を控えめにすることができる。
さらに、請求項１に記載の空気入りタイヤによれば、第１の底上げ部を備えたサイプを互いに隣接させる場合、相対的に高さの低い第１の底上げ部を備えたサイプと相対的に高さの高い第１の底上げ部を備えたサイプとを交互に配置し、高さの低い第１の底上げ部と高さの高い第１の底上げ部とをタイヤ周方向に沿って交互に配置することができる。これにより、互いに隣接するサイプ同士の間で、タイヤ周方向に高さの高い第１の底上げ部を隣接させた場合に比較して、第１の底上げ部による陸部の剛性向上効果を控えめにすることができる。
請求項２に記載の空気入りタイヤは、路面に接地するトレッドと、前記トレッドに設けられ、前記トレッドのタイヤ幅方向中央側から前記トレッドの接地端に向けて延びて陸部を区画する複数のラグ溝と、を備え、適用リムに装着してタイヤ規格の最大負荷能力に対応する最大空気圧を充填し、水平、かつ平坦な路面に対してタイヤ回転軸を前記路面と平行にした状態で最大負荷能力の１００％の荷重を負荷させた状態で前記ラグ溝を溝長手方向に沿った断面で見たときに、前記ラグ溝は、接地端側においては、溝深さがタイヤ赤道面側から接地端に向けて溝深さが浅くなるように形成されて溝底が前記路面と接地した前記トレッドの踏面に対して傾斜しており、前記接地端を通り前記踏面に対して直角な方向に延びる仮想線と前記ラグ溝の溝底との交点をＰ１とし、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記踏面と前記交点Ｐ１から前記交点Ｐ３に至る前記ラグ溝の前記溝底とが成す平均の傾斜角度θ１が５°以下に設定されており、複数の前記ラグ溝で区画される前記陸部が、前記ラグ溝と交差する方向に延びる複数の周方向溝によってタイヤ幅方向に複数のブロックに区画され、前記接地端を有する前記ブロックには、複数のサイプが形成され、複数の前記サイプの内の少なくとも半数以上の前記サイプにおいては、前記ブロックのタイヤ幅方向内側端から前記接地端側へ、前記タイヤ幅方向内側端から前記接地端までの距離の４０％離れた位置までの間の範囲内に、高さ２ｍｍ以上５ｍｍ以下の第２の底上げ部が設けられている。
請求項２に記載の空気入りタイヤによれば、接地端側において溝深さがタイヤ赤道面側から接地端に向けて溝深さが浅くなるように形成されたラグ溝がトレッドに設けられているが、ラグ溝の接地端側の溝底の平均の傾斜角度θ１を５°以下に設定しているため、ウエット路面走行時、ラグ溝内に取り込まれてタイヤ幅方向中央側からトレッドの接地端に向けて流れる水を接地端付近でスムーズに流して接地面の外側へ排水することができると共に、接地端付近の陸部の剛性が確保される。
請求項２に記載の空気入りタイヤによれば、接地端を有するブロックに、複数のサイプが形成されているが、複数のサイプの内の少なくとも半数以上の前記サイプにおいては、タイヤ幅方向内側端から接地端側へ、タイヤ幅方向内側端から接地端までの距離の４０％離れた位置までの間の範囲内に、高さ２ｍｍ以上５ｍｍ以下の第２の底上げ部を設けることで、ブロックのタイヤ幅方向内側の剛性を確保することができる。
また、請求項２に記載の空気入りタイヤによれば、第２の底上げ部を備えたサイプと、第２の底上げ部を備えていないサイプとを交互に配置し、互いに隣接するサイプ同士の間で、タイヤ周方向に第２の底上げ部を隣接しないようにすることができる。これにより、互いに隣接するサイプ同士の間で、タイヤ周方向に第２の底上げ部を隣接させた場合に比較して、第２の底上げ部による陸部の剛性向上効果を控えめにすることができる。
さらに、請求項２に記載の空気入りタイヤによれば、第２の底上げ部を備えたサイプを互いに隣接させる場合、相対的に高さの低い第２の底上げ部を備えたサイプと相対的に高さの高い第２の底上げ部を備えたサイプとを交互に配置し、高さの高い第２の底上げ部と高さの低い第２の底上げ部とをタイヤ周方向に沿って交互に配置することができる。これにより、互いに隣接するサイプ同士の間で、タイヤ周方向に高さの高い第２の底上げ部を隣接させた場合に比較して、第２の底上げ部による陸部の剛性向上効果を控えめにすることができる。
前記ラグ溝のタイヤ幅方向に対する傾斜角度を、前記トレッドのタイヤ幅方向中央側よりも前記トレッドの接地端側の方で小さく設定することができる。
ラグ溝のタイヤ幅方向に対する傾斜角度を、タイヤ幅方向中央側よりもトレッドの接地端側の方で小さくすることで、ラグ溝のタイヤ幅方向に対する傾斜角度を一定にした場合に比較して、排水性能を向上させることができる。
前記ラグ溝のタイヤ幅方向に対する傾斜角度の変化を、前記トレッドのタイヤ幅方向中央側よりも前記トレッドの接地端側の方で大きくすることができる。
ラグ溝のタイヤ幅方向に対する傾斜角度の変化を、タイヤ幅方向中央側よりもトレッドの接地端側の方で大きくすることで、排水性能をさらに向上させることができる。
前記トレッドに、タイヤ赤道面上に配置されてタイヤ周方向に沿って延びるセンター周方向溝を設け、前記ラグ溝を、前記センター周方向溝から前記トレッドの接地端まで延ばすことができる。
センター周方向溝を、タイヤ周方向に沿って延ばすことで、溝内に取り込んだ水をタイヤ周方向に効率的に流してタイヤ外側へ効率的に排水することができる。またタイヤ赤道面上に配置されたセンター周方向溝は、接地面の中央付近の水を効率的に排水することができる。
さらに、ラグ溝を、センター周方向溝からトレッドの接地端まで延ばすことで、センター周方向溝に取り込まれた水の一部を、ラグ溝を介してトレッドの接地端外側へ排水することができ、これにより、排水の効率を高めることができる。
ここで、本発明における「接地端」とは、空気入りタイヤをＪＡＴＭＡ ＹＥＡＲ ＢＯＯＫ（日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、最大負荷能力を負荷したときの、トレッドの踏面の路面に接地した部分（接地形状）のタイヤ幅方向の最外位置をいう。なお、使用地又は製造地において、ＴＲＡ規格、ＥＴＲＴＯ規格が適用される場合は各々の規格に従う。
【０００８】
請求項３に記載の空気入りタイヤは、路面に接地するトレッドと、前記トレッドに設けられ、前記トレッドのタイヤ幅方向中央側から前記トレッドの接地端に向けて延びて陸部を区画する複数のラグ溝と、を備え、適用リムに装着してタイヤ規格の最大負荷能力に対応する最大空気圧を充填し、無負荷状態で前記ラグ溝を溝長手方向に沿った断面で見たときに、前記ラグ溝は、接地端側においては、溝深さがタイヤ赤道面側から前記接地端に向けて溝深さが浅くなるように形成されて溝底が前記トレッドの踏面に対して傾斜しており、前記接地端を通り前記踏面に対して直角な方向に延びる仮想線と前記ラグ溝の溝底との交点をＰ１、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記接地端と前記１／３点Ｐ２との間の前記踏面と、交点Ｐ１と交点Ｐ３との間の溝底とが成す平均の傾斜角度θ２が５°以下に設定されており、前記接地端を有する前記陸部には、前記陸部のタイヤ幅方向内側端からタイヤ幅方向外側に向けて延び、かつ接地端を横断する複数のサイプが形成されており、複数の前記サイプの内の少なくとも半数以上の前記サイプにおいては、接地端からタイヤ幅方向内側へ２０ｍｍの範囲内に、高さ２ｍｍ以上４ｍｍ以下の第１の底上げ部が設けられている。
【０００９】
請求項３に記載の空気入りタイヤによれば、接地端側において溝深さがタイヤ赤道面側から接地端に向けて溝深さが浅くなるように形成されたラグ溝がトレッドに設けられているが、ラグ溝の接地端側の溝底の平均の傾斜角度θ２を５°以下に設定しているため、ウエット路面走行時、ラグ溝内に取り込まれてタイヤ幅方向中央側からトレッドの接地端に向けて流れる水を接地端付近でスムーズに流して接地面の外側へ排水することができる。
ここで、請求項３に記載の空気入りタイヤでは、接地端を有する陸部に複数のサイプが形成されているが、複数のサイプの内の少なくとも半数以上のサイプにおいて、接地端からタイヤ幅方向内側へ２０ｍｍの範囲内に、高さ２ｍｍ以上４ｍｍ以下の第１の底上げ部が設けられているため、陸部の接地端側の剛性を確保することができる。
また、請求項３に記載の空気入りタイヤによれば、第１の底上げ部を備えたサイプと、第１の底上げ部を備えていないサイプとを交互に配置し、互いに隣接するサイプ同士の間で、タイヤ周方向に第１の底上げ部を隣接しないようにすることができる。これにより、互いに隣接するサイプ同士の間で、タイヤ周方向に第１の底上げ部を隣接させた場合に比較して、第１の底上げ部による陸部の剛性向上効果を控えめにすることができる。
さらに、請求項３に記載の空気入りタイヤによれば、第１の底上げ部を備えたサイプを互いに隣接させる場合、相対的に高さの低い第１の底上げ部を備えたサイプと相対的に高さの高い第１の底上げ部を備えたサイプとを交互に配置し、高さの低い第１の底上げ部と高さの高い第１の底上げ部とをタイヤ周方向に沿って交互に配置することができる。これにより、互いに隣接するサイプ同士の間で、タイヤ周方向に高さの高い第１の底上げ部を隣接させた場合に比較して、第１の底上げ部による陸部の剛性向上効果を控えめにすることができる。
請求項４に記載の空気入りタイヤは、路面に接地するトレッドと、前記トレッドに設けられ、前記トレッドのタイヤ幅方向中央側から前記トレッドの接地端に向けて延びて陸部を区画する複数のラグ溝と、を備え、適用リムに装着してタイヤ規格の最大負荷能力に対応する最大空気圧を充填し、無負荷状態で前記ラグ溝を溝長手方向に沿った断面で見たときに、前記ラグ溝は、接地端側においては、溝深さがタイヤ赤道面側から前記接地端に向けて溝深さが浅くなるように形成されて溝底が前記トレッドの踏面に対して傾斜しており、前記接地端を通り前記踏面に対して直角な方向に延びる仮想線と前記ラグ溝の溝底との交点をＰ１、前記接地端からタイヤ赤道面側へトレッド半幅の１／３の距離だけ離れた踏面上の１／３点Ｐ２を通り前記踏面に対して直角な方向に延びる仮想線と前記ラグ溝の溝底との交点をＰ３としたときに、前記接地端と前記１／３点Ｐ２との間の前記踏面と、交点Ｐ１と交点Ｐ３との間の溝底とが成す平均の傾斜角度θ２が５°以下に設定されており、複数の前記ラグ溝で区画される前記陸部が、前記ラグ溝と交差する方向に延びる複数の周方向溝によってタイヤ幅方向に複数のブロックに区画され、前記接地端を有する前記ブロックには、複数のサイプが形成され、複数の前記サイプの内の少なくとも半数以上の前記サイプにおいては、前記ブロックのタイヤ幅方向内側端から前記接地端側へ、前記タイヤ幅方向内側端から前記接地端までの距離の４０％離れた位置までの間の範囲内に、高さ２ｍｍ以上５ｍｍ以下の第２の底上げ部が設けられている。
請求項４に記載の空気入りタイヤによれば、接地端側において溝深さがタイヤ赤道面側から接地端に向けて溝深さが浅くなるように形成されたラグ溝がトレッドに設けられているが、ラグ溝の接地端側の溝底の平均の傾斜角度θ２を５°以下に設定しているため、ウエット路面走行時、ラグ溝内に取り込まれてタイヤ幅方向中央側からトレッドの接地端に向けて流れる水を接地端付近でスムーズに流して接地面の外側へ排水することができる。
請求項４に記載の空気入りタイヤによれば、接地端を有するブロックに、複数のサイプが形成されているが、複数のサイプの内の少なくとも半数以上の前記サイプにおいては、タイヤ幅方向内側端から接地端側へ、タイヤ幅方向内側端から接地端までの距離の４０％離れた位置までの間の範囲内に、高さ２ｍｍ以上５ｍｍ以下の第２の底上げ部を設けることで、ブロックのタイヤ幅方向内側の剛性を確保することができる。
また、請求項４に記載の空気入りタイヤによれば、第２の底上げ部を備えたサイプと、第２の底上げ部を備えていないサイプとを交互に配置し、互いに隣接するサイプ同士の間で、タイヤ周方向に第２の底上げ部を隣接しないようにすることができる。これにより、互いに隣接するサイプ同士の間で、タイヤ周方向に第２の底上げ部を隣接させた場合に比較して、第２の底上げ部による陸部の剛性向上効果を控えめにすることができる。
さらに、請求項４に記載の空気入りタイヤによれば、第２の底上げ部を備えたサイプを互いに隣接させる場合、相対的に高さの低い第２の底上げ部を備えたサイプと相対的に高さの高い第２の底上げ部を備えたサイプとを交互に配置し、高さの高い第２の底上げ部と高さの低い第２の底上げ部とをタイヤ周方向に沿って交互に配置することができる。これにより、互いに隣接するサイプ同士の間で、タイヤ周方向に高さの高い第２の底上げ部を隣接させた場合に比較して、第２の底上げ部による陸部の剛性向上効果を控えめにすることができる。
前記ラグ溝のタイヤ幅方向に対する傾斜角度を、前記トレッドのタイヤ幅方向中央側よりも前記トレッドの接地端側の方で小さく設定することができる。
ラグ溝のタイヤ幅方向に対する傾斜角度を、タイヤ幅方向中央側よりもトレッドの接地端側の方で小さくすることで、ラグ溝のタイヤ幅方向に対する傾斜角度を一定にした場合に比較して、排水性能を向上させることができる。
前記ラグ溝のタイヤ幅方向に対する傾斜角度の変化を、前記トレッドのタイヤ幅方向中央側よりも前記トレッドの接地端側の方で大きくすることができる。
ラグ溝のタイヤ幅方向に対する傾斜角度の変化を、タイヤ幅方向中央側よりもトレッドの接地端側の方で大きくすることで、排水性能をさらに向上させることができる。
前記トレッドに、タイヤ赤道面上に配置されてタイヤ周方向に沿って延びるセンター周方向溝を設け、前記ラグ溝を、前記センター周方向溝から前記トレッドの接地端まで延ばすことができる。
センター周方向溝を、タイヤ周方向に沿って延ばすことで、溝内に取り込んだ水をタイヤ周方向に効率的に流してタイヤ外側へ効率的に排水することができる。またタイヤ赤道面上に配置されたセンター周方向溝は、接地面の中央付近の水を効率的に排水することができる。
さらに、ラグ溝を、センター周方向溝からトレッドの接地端まで延ばすことで、センター周方向溝に取り込まれた水の一部を、ラグ溝を介してトレッドの接地端外側へ排水することができ、これにより、排水の効率を高めることができる。
【００１０】
請求項５に記載の発明は、請求項１〜請求項４の何れか１項に記載の空気入りタイヤにおいて、前記溝底には、接地端からタイヤ幅方向内側へ向けて溝深さが一定とされた平坦部が設けられている。
【００１１】
請求項５に記載の空気入りタイヤによれば、ラグ溝の溝底に、接地端からタイヤ幅方向内側へ向けて溝深さが一定とされた平坦部が設けられているため、平坦部においてスムーズに水を流すことができる。
【発明の効果】
【００２５】
本発明の空気入りタイヤによれば、ウエット性能とドライ性能とを高度に両立させることができる。
【図面の簡単な説明】
【００２６】
【図１】本発明の第１の実施形態に係る空気入りタイヤのトレッドを示す平面図である。
【図２】リムに装着して路面に接地させた空気入りタイヤの片側を示すタイヤ回転軸に沿った断面図である。
【図３】リムに装着した無負荷状態の空気入りタイヤの片側を示すタイヤ回転軸に沿った断面図である。
【図４】ラグ溝を示す長手方向に対して直交する方向に切断した断面図である。
【図５】第２の実施形態に係る空気入りタイヤのラグ溝を示す断面図である。
【図６】第３の実施形態に係る空気入りタイヤのラグ溝を示す断面図である。
【図７】ラグ溝を示す長手方向に沿った断面図である。
【図８】第３ブロックを示す平面図である。
【図９】第３ブロックを示す平面図である。
【図１０】第３ブロックを示す平面図である。
【図１１】試験に用いた空気入りタイヤのラグ溝を示す長手方向に対して直交する方向に切断した断面図である。
【発明を実施するための形態】
【００２７】
［第１の実施形態］
本発明の第１の実施形態にかかる空気入りタイヤ１０を図面にしたがって説明する。なお、本実施形態の空気入りタイヤ１０は乗用車用であり、内部構造については、従来の空気入りタイヤと同様であるため説明を省略する。また、以後図面において、矢印Ａ方向はタイヤ回転方向（踏み込み側）、矢印Ｂ方向はタイヤ回転方向とは反対方向（蹴り出し側）、矢印Ｗ方向はタイヤ幅方向を示す。
【００２８】
図１に示すように、空気入りタイヤ１０のトレッド１２には、タイヤ赤道面ＣＬ上に、タイヤ周方向に沿って延びるセンター周方向溝１４と、センター周方向溝１４から接地端１２Ｅに向けて延びる複数本のラグ溝１６とが形成されている。さらに、トレッド１２には、センター周方向溝１４のタイヤ幅方向両側に、タイヤ周方向に隣接する一方のラグ溝１６と他方のラグ溝１６とを連結するショルダー側周方向溝２０が形成されている。これらセンター周方向溝１４、ラグ溝１６、及びショルダー側周方向溝２０がトレッド１２における主溝である。
【００２９】
本実施形態のショルダー側周方向溝２０は、タイヤ回転方向側（矢印Ａ方向側）の端部が、タイヤ回転方向側とは反対方向側（矢印Ｂ方向側）の端部よりもタイヤ幅方向内側に位置するようにタイヤ周方向に対して傾斜している。
【００３０】
トレッド１２には、センター周方向溝１４、ラグ溝１６、及びショルダー側周方向溝２０でセンター側ブロック２２が区画され、ショルダー側周方向溝２０、及びラグ溝１６でショルダー側ブロック２６が区画されている。
【００３１】
また、センター側ブロック２２、及びショルダー側ブロック２６には、タイヤ幅方向内側の端部からタイヤ幅方向外側に向けてジグザグに延びるサイプ２８が複数本形成されている。本実施形態のサイプ２８の深さは、ラグ溝１６の溝深さの５０％以上に設定されている（但し、最大深さは、ラグ溝１６の溝深さまで）。
【００３２】
（ラグ溝の詳細）
本実施形態のラグ溝１６は、センター周方向溝１４から接地端１２Ｅに向けて傾斜して延びており、接地端１２Ｅに向かうにつれてタイヤ幅方向に対する傾斜角度θ０が漸減していると共に、溝幅が漸増している。また、ラグ溝１６のタイヤ幅方向に対する傾斜角度θ０の変化は、タイヤ幅方向中央側よりも接地端１２Ｅ側の方が大きくなっている。ここで、ラグ溝１６のタイヤ幅方向に対する傾斜角度θ０とは、図１に示すように、ラグ溝１６の溝幅中心線ＧＣＬの接線のタイヤ幅方向に対する傾斜角度のことである。
なお、ラグ溝１６は、タイヤ幅方向に沿って平行に形成されていても良く、タイヤ幅方向に対して一定角度で傾斜して延びていても良い。また、ラグ溝１６の溝幅は、センター周方向溝１４から接地端１２Ｅに向けて一定であっても良い。
【００３３】
（ラグ溝の長手方向に沿った断面形状）
図２に示すように、本実施形態の空気入りタイヤ１０を適用リム３０に装着してタイヤ規格（本実施形態ではＪＡＴＭＡ）の最大荷重（最大負荷能力）に対応する最大空気圧を充填し、水平、かつ平坦な路面３１に対してタイヤ回転軸を路面と平行にした状態で最大荷重の１００％の荷重を負荷させた時のラグ溝１６を溝長手方向（溝幅中心線ＧＣＬにおいて）に沿った断面で見たときに、ラグ溝１６は、接地端１２Ｅの近傍においては、溝深さがタイヤ赤道面ＣＬ側から接地端１２Ｅに向けて溝深さが徐々に浅くなるように形成されて溝底１６Ｂが路面３１に接した踏面１２Ａに対して傾斜しており、タイヤ赤道面ＣＬ側においては、溝底１６Ｂが路面３１に接地した踏面１２Ａに対して平行で溝深さが一定に形成されている。なお、図２においては、センター周方向溝１４、及びショルダー側周方向溝２０の図示を省略している。
【００３４】
ラグ溝１６は、接地端１２Ｅを通り路面３１に接地した踏面１２Ａに対して直角な方向に延びる仮想線ＦＬ１とラグ溝１６の溝底（溝幅の中心において）１６Ｂとの交点をＰ１、接地端１２Ｅからタイヤ赤道面ＣＬ側へトレッド半幅１／２ＴＷの１／３の距離だけ離れた踏面１２Ａ上の１／３点Ｐ２を通り路面３１に接触した踏面１２Ａに対して直角な方向に延びる仮想線ＦＬ２とラグ溝１６の溝底１６Ｂとの交点をＰ３としたときに、交点Ｐ１から交点Ｐ３に至るラグ溝１６の溝底１６Ｂは、路面３１に接した踏面１２Ａに対する平均の傾斜角度θ１が５°以下に設定されている。なお、ラグ溝１６は、１／３点Ｐ２からタイヤ赤道面ＣＬの端部にかけては、溝深さが一定である。
【００３５】
なお、ラグ溝１６の溝深さは、トレッド１２の接地端１２Ｅ付近の剛性が低下するため、ラグ溝１６の溝深さを交点Ｐ３から交点Ｐ１にかけて増大させることはない。
また、ラグ溝１６の接地端１２Ｅにおける溝深さは、タイヤ赤道面ＣＬ側の端部と同等若しくは浅くなるが、タイヤ赤道面ＣＬ側の最大溝深さに対して、接地端１２Ｅにおける溝深さは、１００〜５０％の範囲内であることが好ましい。タイヤ赤道面ＣＬ側の最大溝深さに対して、接地端１２Ｅにおける溝深さが５０％未満では、ラグ溝１６の溝深さが浅くなり過ぎて排水性能が低下する。一方、接地端１２Ｅにおける溝深さが１００％を超えると、ラグ溝１６の溝深さが深くなり過ぎて、接地端１２Ｅ付近のブロック剛性が低下する虞がある。
【００３６】
なお、ラグ溝１６の溝長手方向に沿った断面形状について、空気入りタイヤ１０に荷重を負荷させ路面に接地させた状態の図２に基づいて説明をしたが、以下に、空気入りタイヤ１０を無負荷状態とした場合で説明する。
図３には、本実施形態の空気入りタイヤ１０を適用リム３０に装着してタイヤ規格（本実施形態ではＪＡＴＭＡ）の最大荷重（最大負荷能力）に対応する最大空気圧を充填し、荷重を負荷させていない時のラグ溝１６の溝長手方向に沿った断面が示されている。図３に示すように、ラグ溝１６は、接地端１２Ｅの近傍において、溝深さがタイヤ赤道面ＣＬ側から接地端１２Ｅに向けて溝深さが徐々に浅くなっており、タイヤ赤道面ＣＬ側においては、溝深さが一定となっている。なお、図３においては、センター周方向溝１４、及びショルダー側周方向溝２０の図示を省略している。
【００３７】
ラグ溝１６は、接地端１２Ｅを通り踏面１２Ｅに対して直角な方向に延びる仮想線ＦＬ１とラグ溝１６の溝底（溝幅の中心において）１６Ｂとの交点をＰ１、接地端１２Ｅからタイヤ赤道面ＣＬ側へトレッド半幅１／２ＴＷの１／３の距離だけ離れた踏面１２Ａ上の１／３点Ｐ２を通り踏面１２Ａに対して直角な方向に延びる仮想線ＦＬ２とラグ溝１６の溝底１６Ｂとの交点をＰ３としたときに、交点Ｐ２と交点Ｐ３との間の溝底１６Ｂと、接地端１２Ｅと１／３点Ｐ２との間の踏面１２Ａとが成す平均の傾斜角度θ２が５°以下に設定されている。
【００３８】
図４に示すように、本実施形態のラグ溝１６は、溝幅（Ｗ０）中心線ＧＣＬを境にしてタイヤ回転方向側（矢印Ａ方向側）とタイヤ回転方向側とは反対方向側（矢印Ｂ方向側）とで非対称形状となっている。
【００３９】
図４に示すように、ラグ溝１６は、各ブロックの踏み込み側の溝側壁１６Ｆにおいて、ラグ溝１６の溝深さＤの１／２の深さ位置Ｐ４を境にして踏面１２Ａ側が踏み込み側第１傾斜部１６Ｆａ、溝底側が踏み込み側第２傾斜部１６Ｆｂとされている。一方、溝幅中心線ＧＣＬを境にして蹴り出し側の溝側壁１６Ｋにおいて、ラグ溝１６の溝深さＤの１／２の深さ位置Ｐ５を境にして踏面１２Ａ側が蹴り出し側第１傾斜部１６Ｋａ、溝底側が蹴り出し側第２傾斜部１６Ｋｂとされている。
【００４０】
このラグ溝１６において、踏み込み側第１傾斜部１６Ｆａの溝幅方向に沿って計測した幅寸法はＷ１、踏み込み側第２傾斜部１６Ｆｂの溝幅方向に沿って計測した幅寸法はＷ２、蹴り出し側第１傾斜部１６Ｋａの溝幅方向に沿って計測した幅寸法はＷ３、蹴り出し側第２傾斜部１６Ｋｂの溝幅方向に沿って計測した幅寸法はＷ４とする。
ここで、踏み込み側第２傾斜部１６Ｆｂの幅寸法Ｗ２、及び蹴り出し側第２傾斜部１６Ｋｂの幅寸法Ｗ４は、ラグ溝１６の溝幅Ｗ０の２０〜５０％の範囲内に設定することが好ましい。
なお、ラグ溝１６において、最深部分を溝底１６Ｂと呼び、ラグ溝１６を長手方向に対して直交する断面で見たときに、溝底１６Ｂは、例えば、図４に示すように溝幅方向に寸法を有する場合と、例えば、図６に示すように溝幅方向に寸法を有していない場合がある。
【００４１】
ここで、踏み込み側第１傾斜部１６Ｆａの踏面１２側の端部を通り、踏面１２Ａに対して垂直な仮想線をＦＬ３、踏み込み側第２傾斜部１６Ｆｂの踏面１２側の端部（＝溝深さＤの１／２の深さ位置Ｐ４。踏み込み側第１傾斜部１６Ｆａの溝底側の端部。）を通り、踏面１２Ａに対して垂直な仮想線をＦＬ４、踏み込み側第２傾斜部１６Ｆｂの踏面１２側の端部（＝溝深さＤの１／２の深さ位置Ｐ４）を通り、溝幅方向に沿って延びる仮想線をＦＬ５、ラグ溝１６の最深部（ここでは、溝幅中心線ＧＣＬと溝底１６Ｂとの交点Ｐ６）を通り、溝幅方向に沿って延びる仮想線をＦＬ６、仮想線ＦＬ３、仮想線ＦＬ５、及び踏み込み側第１傾斜部１６Ｆａで囲まれる略三角形の領域（右上がりの斜線部分）の面積をＡ１、仮想線ＦＬ４、仮想線ＦＬ６、及び踏み込み側第２傾斜部１６Ｆｂで囲まれる略三角形の領域（左上がりの斜線部分）の面積をＢ１と定義したときに、Ａ１＜Ｂ１に設定されている。なお、Ｂ１とＡ１との比率Ｂ１／Ａ１は、１２０％以上とすることが好ましく、ブロック剛性を高めるには１８０％以上とすることがより好ましく、２７０％以上とすることがより一層好ましい。比率Ｂ１／Ａ１の上限は実用的には５００％であるが、無限大（∞：Ａ１が零の場合（例えば、踏み込み側第１傾斜部１６Ｆａが踏面に対して直角な場合等））であっても良い。
【００４２】
Ａ１＜Ｂ１とすることで、ラグ溝１６の溝のボリュームを確保しつつ、各ブロックの踏み込み側の溝側壁１６Ｆの溝底側のブロック剛性を高めることができ、各ブロックの踏み込み側の溝側壁１６Ｆの溝底側のブロック剛性を高めることで各ブロックの踏み込み側全体のブロック剛性を高めることができる。
なお、Ｂ１とＡ１との比率Ｂ１／Ａ１は、ブロック剛性をより高めるには１２０％以上とすることが好ましく、ブロック剛性をさらに高めるには１８０％以上とすることがより好ましく、２７０％以上とすることがより一層好ましい。比率Ｂ１／Ａ１の上限は実用的には５００％であるが、無限大（∞：Ａ１が零の場合（例えば、踏み込み側第１傾斜部１６Ｆａが踏面に対して直角な場合等））であっても良い。
【００４３】
また、蹴り出し側第１傾斜部１６Ｋａの踏面１２側の端部を通り、踏面１２Ａに対して垂直な仮想線をＦＬ７、蹴り出し側第２傾斜部１６Ｋｂの踏面１２側の端部（＝溝深さＤの１／２の深さ位置Ｐ５。蹴り出し側第１傾斜部１６Ｋａの溝底側の端部。）を通り、踏面１２Ａに対して垂直な仮想線をＦＬ８、仮想線ＦＬ７、仮想線ＦＬ５、及び蹴り出し側第１傾斜部１６Ｋａで囲まれる略三角形の領域（右上がりの斜線部分）の面積をＡ２、仮想線ＦＬ８、仮想線ＦＬ６、及び蹴り出し側第２傾斜部１６Ｋｂで囲まれる略三角形の領域（左上がりの斜線部分）の面積をＢ２と定義したときに、Ａ２＜Ｂ２に設定されている。なお、Ｂ２とＡ２との比率Ｂ２／Ａ２は、１２０％以上とすることが好ましく、ブロック剛性を高めるには１８０％以上とすることがより好ましく、２７０％以上とすることがより一層好ましい。比率Ｂ２／Ａ２の上限は実用的には５００％であるが、無限大（∞：Ａ２が零の場合（例えば、蹴り出し側第１傾斜部１６Ｋａが踏面に対して直角な場合等））であっても良い。
【００４４】
Ａ２＜Ｂ２とすることで、ラグ溝１６の溝のボリュームを確保しつつ、センター側ブロック２２、及びショルダー側ブロック２６の蹴り出し側の溝側壁１６Ｋの溝底側のブロック剛性を高めることができ、各ブロックの蹴り出し側の溝側壁１６Ｋの溝底側のブロック剛性を高めることで各ブロックの蹴り出し側全体のブロック剛性を高めることができる。
【００４５】
また、本実施形態では、比率Ｂ１／Ａ１と、比率Ｂ２／Ａ２とを対比したときに、比率Ｂ１／Ａ１＜比率Ｂ２／Ａ２に設定されている。これにより、センター側ブロック２２、及びショルダー側ブロック２６において、踏み込み側のブロック剛性よりも蹴り出し側のブロック剛性が高められている。
【００４６】
さらに、本実施形態のラグ溝１６は、タイヤ赤道面ＣＬ側から接地端１２Ｅに向けて、踏み込み側第２傾斜部１６Ｆｂの円弧状部分の曲率半径Ｒａ、及び蹴り出し側第２傾斜部１６Ｋｂの円弧状部分の曲率半径Ｒｂが増大され、その結果、踏み込み側第２傾斜部１６Ｆｂの幅寸法Ｗ２、及び蹴り出し側第２傾斜部１６Ｋｂの幅寸法Ｗ４が増大してタイヤ赤道面ＣＬ側から接地端１２Ｅに向けて面積Ｂ１、及び面積Ｂ２が増大している。これにより、センター側ブロック２２、及びショルダー側ブロック２６の踏み込み側のブロック剛性、及び蹴り出し側のブロック剛性が、タイヤ赤道面ＣＬ側から接地端１２Ｅに向けて増大している。
【００４７】
（作用、効果）
従来の空気入りタイヤでは、ブロック剛性を高めるために、ブロックを区画する溝の溝側壁全体を傾斜させていたが、これでは、溝のボリュームが減少し、ウエット性能が低下するため、ブロック剛性とウエット性能とを高度に両立させることが困難であったが、本実施形態の空気入りタイヤ１０では、ブロック剛性とウエット性能とを高度に両立させることが可能となる。以下に、本実施形態の空気入りタイヤ１０を車両に装着した場合の作用効果を説明する。
【００４８】
空気入りタイヤ１０がウエット路面を走行した際には、接地面内の水（トレッド１２の踏面１２Ａと路面との間に介在する水）は、センター周方向溝１４、ラグ溝１６、及びショルダー側周方向溝２０に取り込まれ、センター周方向溝１４、及びショルダー側周方向溝２０によってタイヤ周方向外側に排水され、ラグ溝１６によってタイヤ幅方向外側に排水される。なお、センター周方向溝１４、及びショルダー側周方向溝２０に取り込まれた水の一部は、ラグ溝１６を介してタイヤ幅方向外側に排水される。本実施形態の空気入りタイヤ１０は、このようにして接地面内の水を排水し、ウエット性能を得ている。また、本実施形態の空気入りタイヤ１０では、タイヤ赤道面ＣＬ上にタイヤ周方向に沿って延びるセンター周方向溝１４が配置されているので、接地圧の高いタイヤセンター部での排水性能を高めることができ。
【００４９】
本実施形態の空気入りタイヤ１０では、各ブロックの踏み込み側において、仮想線ＦＬ３、仮想線ＦＬ５、及び踏み込み側第１傾斜部１６Ｆａで囲まれる略三角形の領域の面積Ａ１と、仮想線ＦＬ４、仮想線ＦＬ６、及び踏み込み側第２傾斜部１６Ｆｂで囲まれる略三角形の領域の面積Ｂ１とを比較したときに、Ａ１＜Ｂ１に設定されているので、センター側ブロック２２、及びショルダー側ブロック２６の各ブロックの踏み込み側の溝底側（即ち、各ブロックの踏み込み側の基部）の剛性を高めることができ、これによって、ラグ溝１６の排水性能に必要な溝のボリュームを確保しつつ、各ブロックの踏み込み側のブロック剛性を高めることができる。
【００５０】
さらに、本実施形態の空気入りタイヤ１０では、各ブロックの蹴り出し側において、仮想線ＦＬ７、仮想線ＦＬ５、及び蹴り出し側第１傾斜部１６Ｋａで囲まれる略三角形の領域の面積Ａ２と、仮想線ＦＬ８、仮想線ＦＬ６、及び蹴り出し側第２傾斜部１６Ｋｂで囲まれる略三角形の領域の面積Ｂ２とを比較したときに、Ａ２＜Ｂ２に設定されているので、各ブロックの蹴り出し側の溝底側（即ち、各ブロックの蹴り出し側の基部）の剛性を高めることができ、ラグ溝１６の排水性能に必要な溝のボリュームを確保しつつ、各ブロックの蹴り出し側のブロック剛性を高めることができる。
【００５１】
以上説明した様に、本実施形態の空気入りタイヤ１０では、各ブロックの踏み込み側のブロック剛性、及び蹴り出し側のブロック剛性を高めることで、ドライ路面での操縦安定性に必要なブロック全体のブロック剛性を高めることができる。また、本実施形態の空気入りタイヤ１０では、ブロック剛性を高めるために溝側壁全体を傾斜させてトレッド１２のゴムの使用量を増やすことが無いので、転がり抵抗の増大も抑制できる。
【００５２】
このようにして、本実施形態の空気入りタイヤ１０は、ウエット性能（特には、ハイドロプレーニング性能）、及びドライ性能（特には、ドライ路面での操縦安定性能）を得つつ、ウエット性能とドライ性能との高度な両立が可能となる。また、センター側ブロック２２、及びショルダー側ブロック２６の各ブロックの変形が抑えられることにより、各ブロックの路面に対する引き摺りが抑えられ、各ブロックの耐摩耗性を向上させることができる。
【００５３】
さらに、本実施形態の空気入りタイヤ１０では、比率Ｂ１／Ａ１＜比率Ｂ２／Ａ２に設定されて、センター側ブロック２２、及びショルダー側ブロック２６の各ブロックにおいて、踏み込み側のブロック剛性よりも蹴り出し側のブロック剛性が高められているため、蹴り出し側のブロック剛性よりも踏み込み側のブロック剛性を高めた場合に比較して、空気入りタイヤ１０が矢印Ａ方向に回転（駆動時）して各ブロックが路面に接地した際のタイヤ周方向の変形を効果的に抑えることができる。
【００５４】
また、本実施形態の空気入りタイヤ１０では、タイヤ赤道面ＣＬ側から接地端１２Ｅに向けて、ラグ溝１６の踏み込み側第２傾斜部１６Ｆｂの円弧状部分の曲率半径Ｒａ、及び蹴り出し側第２傾斜部１６Ｋｂの円弧状部分の曲率半径Ｒｂが増大されてタイヤ赤道面ＣＬ側から接地端１２Ｅに向けて面積Ｂ１、及び面積Ｂ２が増大しているため、センター側ブロック２２、及びショルダー側ブロック２６の踏み込み側のブロック剛性、及び蹴り出し側のブロック剛性を、タイヤ赤道面ＣＬ側から接地端１２Ｅに向けて増大させることができる。このため、コーナリング時にトレッド１２のショルダー側、即ち、接地端１２Ｅ側に大きな荷重が掛かった場合に、接地端１２Ｅ側にあるショルダー側ブロック２６の変形を効果的に抑制することができ、ラグ溝１６の接地端１２Ｅ側の溝のボリュームを確保しつつ、コーナリング性能を向上させることができる。
【００５５】
また、踏み込み側第２傾斜部１６Ｆｂのラグ溝底側、及び蹴り出し側第２傾斜部１６Ｋｂのラグ溝底側が共に円弧状に形成されているので、ラグ溝１６の溝底１６Ｂにおいて応力集中が抑えられ、溝底１６Ｂからのクラックの発生が抑制され、また、ラグ溝１６の内部に水が流れた際に、水の流れが乱流にならず層流になり易いため、排水性能も向上する。
【００５６】
ここで、踏み込み側第２傾斜部１６Ｆｂの幅寸法Ｗ２、及び蹴り出し側第２傾斜部１６Ｋｂの幅寸法Ｗ４を、ラグ溝１６の溝幅Ｗ０の２０〜５０％の範囲内に設定することで、ブロック剛性と、排水性能とを高度に両立させることができる。なお、ラグ溝１６の溝幅Ｗ０に対する幅寸法Ｗ２、及び幅寸法Ｗ４の割合が２０％未満になると、ブロック剛性を十分に高めることが困難となる。一方、ラグ溝１６の溝幅Ｗ０に対する幅寸法Ｗ２、及び幅寸法Ｗ４の割合が５０％を超えると、ラグ溝１６のボリュームを十分に確保することが困難となる。また、幅寸法Ｗ２、及び幅寸法Ｗ４の何れか一方を大きくし過ぎると、何れか他方を大きくすることが出来なくなる。
【００５７】
なお、ラグ溝１６は、接地端１２Ｅに向かうにつれてタイヤ幅方向に対する傾斜角度θ０が漸減しており、さらに、ラグ溝１６のタイヤ幅方向に対する傾斜角度θ０の変化が、タイヤ幅方向中央側よりも接地端１２Ｅ側の方で大きくなっているため、ラグ溝１６の延びている方向が、トレッド１２と路面との間の水が接地面外へ流れやすい方向に近づく。このため、排水性能が向上し、ウエット性能を向上させることができる。
【００５８】
ウエット路面走行時に接地面内で取り込んだ水をタイヤ赤道面ＣＬ側から接地端１２Ｅ側に向けて流して、接地端１２Ｅ側の端部からタイヤ外側へ排水するラグ溝１６は、接地端１２Ｅ付近において、接地端１２Ｅに向けて徐々に溝深さが浅くなるように溝底１６Ｂが傾斜しているが、溝底１６Ｂの傾斜角度θ１が５°以下に設定されているため、溝内に取り込んだ水を接地端１２Ｅ付近において接地端１２Ｅに向けてスムーズに流して排水することができ、ウエット性能を向上させることができる。また、本実施形態のラグ溝１６は、タイヤ赤道面ＣＬ側から接地端１２Ｅ側に向けて溝幅を広くしているため、これによってもタイヤ赤道面ＣＬ側から接地端１２Ｅ側への排水性能を向上させることができ、ウエット性能を更に向上させることができる。
【００５９】
また、本実施形態の空気入りタイヤ１０では、ラグ溝１６は、接地端１２Ｅ付近において、接地端１２Ｅに向けて徐々に溝深さが浅くなるように溝底１６Ｂが傾斜しているため、接地端１２Ｅに向けて徐々に溝深さが深くなるように溝底１６Ｂが傾斜している場合のように、ブロック剛性を低下させる虞が無く、ドライ性能に必要な接地端１２Ｅ付近のブロック剛性が確保される。このように、ラグ溝１６の溝底１６Ｂの傾斜角度θ１を５°以下に設定することで、ウエット性能とドライ性能とを高度に両立させることが可能となる。
【００６０】
なお、本実施形態の空気入りタイヤ１０は、ラグ溝１６のセンター周方向溝１４への接続部の断面積をａ（ｍｍ２）、ラグ溝１６の接地端１２Ｅにおける断面積をｃ（ｍｍ２）とするとき、ａ＜ｃ、を満たすことが好ましい。これは、ラグ溝１６内を流れる水の入口側の断面積ａを小さくし、ラグ溝１６内を流れる水の出口側の断面積ｃを大きくすることにより、センター周方向溝１４からラグ溝１６に合流する水量が増大することによる乱流の発生を抑制して、ラグ溝１６を１つの主水流路とした排水性能を高めることができ、空気入りタイヤ１０の排水性能を向上させることができるからである。ここで、具体的には、ラグ溝１６の溝幅は、トレッド幅方向内側端部で０〜２．０ｍｍとし、接地端１２Ｅで９．０ｍｍ〜１２．０ｍｍとすることが好ましい。
【００６１】
また、ショルダー側周方向溝２０のタイヤ周方向一方側の端部のラグ溝１６への接続部の断面積をｂ（ｍｍ２）とするとき、ｂ＜ｃ、を満たすことが好ましい。これは、ショルダー側周方向溝２０からラグ溝１６に合流する水量が増大することによる乱流の発生を抑制して、ラグ溝１６を主水流路とした排水性能をより高めることができるからである。同様の理由により、比ｂ／ｃは、０．６０以下とすることが好ましく、０．４２以下とすることがさらに好ましい。一方で、ショルダー側周方向溝２０での水の排出量を確保するためには、比ｂ／ｃを０．０７以上とすることが好ましい。
【００６２】
ここで、上記断面積ａは、０〜１８ｍｍ２であることが好ましい。断面積ａを０ｍｍ２以上とすることにより、雪上トラクション性能を向上させることができ、一方で、断面積ａを１８ｍｍ２以下とすることにより、上述した乱流の発生を抑制して、ラグ溝１６を主水流路とした排水性能をより高めることができるからである。
【００６３】
また、上記断面積ｂは、８〜４６ｍｍ２であることが好ましい。断面積ｂを８ｍｍ２以上とすることにより、雪詰まりを抑制し、また、周方向溝３ｂでの水の排出量を確保することができ、一方で、断面積ｂを４６ｍｍ２以下とすることにより、上述した乱流の発生を抑制して、ラグ溝１６を主水流路とした排水性能をより高めることができるからである。
【００６４】
さらに、上記断面積ｃは、７７〜１１０ｍｍ２であることが好ましい。断面積ｃを７７ｍｍ２以上とすることにより、主水流路となるラグ溝１６で流す水の流量を確保して排水性能を向上させることができ、一方で、断面積ｃを１１０ｍｍ２以下とすることにより、接地面積を確保してドライ路面での走行性能等を確保することができるからである。
【００６５】
なお、本実施形態の空気入りタイヤ１０では、比率Ｂ１／Ａ１＜比率Ｂ２／Ａ２に設定されて、センター側ブロック２２、及びショルダー側ブロック２６の各ブロックにおいて、踏み込み側のブロック剛性よりも蹴り出し側のブロック剛性が高められていたが、本発明はこれに限らず、比率Ｂ１／Ａ１＞比率Ｂ２／Ａ２に設定して、センター側ブロック２２、及びショルダー側ブロック２６の各ブロックにおいて、蹴り出し側のブロック剛性よりも踏み込み側のブロック剛性を高めるようにしても良い。
【００６６】
また、例えば、トレッド１２に、周方向の寸法が長いショルダー側ブロック２６と、周方向の寸法が短いショルダー側ブロック２６とが混在する場合、周方向の寸法が短いショルダー側ブロック２６の方が、周方向の寸法が長いショルダー側ブロック２６よりも相対的にブロック剛性が小さくなる。このような場合には、例えば、周方向の寸法が短いショルダー側ブロック２６を区画するラグ溝１６の踏み込み側の曲率半径Ｒａ、及び蹴り出し側の曲率半径Ｒｂを、周方向の寸法が長いショルダー側ブロック２６を区画するラグ溝１６の踏み込み側の曲率半径Ｒａ、及び蹴り出し側の曲率半径Ｒｂよりも大きくする等の手法を用いて、周方向の寸法が短いショルダー側ブロック２６に面する溝側壁の剛性を、周方向の寸法が長いショルダー側ブロック２６に面する溝側壁の剛性よりも高めることが好ましい。これにより、ラグ溝１６の溝のボリュームを確保しつつ、周方向の寸法が短いショルダー側ブロック２６のブロック剛性を高める効果が、周方向の寸法が長いショルダー側ブロック２６のブロック剛性を高める効果よりも大となり、周方向の寸法が短いショルダー側ブロック２６と周方向の寸法が長いショルダー側ブロック２６とのブロック剛性の差を小さくすることができる。
【００６７】
ラグ溝１６は、タイヤ幅方向に延び、あるいは、タイヤ幅方向に対して４５゜以下の角度で傾斜して延びていれば良い。ラグ溝１６をタイヤ転動時の流水方向に沿って延ばすことにより排水性能を高めることができる。ラグ溝１６の溝深さ（最大深さ）は、排水するための溝のボリュームを確保するため、１．０〜９．２ｍｍとすることが好ましい。ラグ溝１６は、排水性能とドライ路面や氷雪路面における制動性能や操縦安定性とを高度に両立させるためには、タイヤ周方向に１６〜２０ｍｍのピッチ間隔で配置することが好ましい。図１に示すように、ラグ溝１６は、パターンノイズを低減するために、タイヤ赤道面ＣＬを境界にしてタイヤ幅方向一方側と他方側とで、トレッド周方向に位相差を設けて配置することが好ましい。
【００６８】
また、ショルダー側周方向溝２０は、排水性能と氷雪路面における操縦安定性とを高度に両立させるために、タイヤ周方向に延び、あるいは、タイヤ周方向に対して０゜以上４５゜未満の角度で傾斜して延びることが好ましい。ショルダー側周方向溝２０の溝幅は、排水性能とドライ路面や氷雪路面における制動性能や操縦安定性とを高度に両立させるために、２．０〜１０．０ｍｍとすることが好ましい。ショルダー側周方向溝２０の溝深さ（最大深さ）は、排水性能とドライ路面や氷雪路面における制動性能や操縦安定性とを高度に両立させるために、４．０〜９．２ｍｍとすることが好ましい。
【００６９】
なお、本実施形態の空気入りタイヤ１０においては、トレッド１２の踏面１２Ａのネガティブ率（トレッド踏面の面積に対する、トレッド踏面内の溝面積の割合）は、排水性能とドライ路面や氷雪路面における制動性能や操縦安定性と高度に両立させるために３３〜４０％とすることが好ましい。また、ラグ溝１６を主水流路として十分機能させるために、ラグ溝１６の溝面積は、ショルダー側周方向溝２０より大きいことが好ましく、全溝面積のうちの５０％以上がラグ溝１６の溝面積であることが好ましい。
【００７０】
［第２の実施形態］
次に、本発明の第２の実施形態に係る空気入りタイヤ１０を図５にしたがって説明する。なお、第１の実施形態と同一構成には同一符号を付し、その説明は省略する。
図５に示すように、本実施形態の空気入りタイヤ１０のラグ溝１６は、踏み込み側の溝側壁１６Ｆ、及び蹴り出し側の溝側壁１６Ｋが、複数の直線状部分で形成されている。
本実施形態の空気入りタイヤ１０もＡ１＜Ｂ１、Ａ２＜Ｂ２に設定されているので、第１の実施形態と同様に、ラグ溝１６の排水性能に必要な溝のボリュームを確保しつつ、各ブロックのブロック剛性を高めることができる。
【００７１】
［第３の実施形態］
次に、本発明の第３の実施形態に係る空気入りタイヤ１０を図６にしたがって説明する。なお、第１の実施形態と同一構成には同一符号を付し、その説明は省略する。
図６に示すように、本実施形態の空気入りタイヤ１０のラグ溝１６は、第１の実施形態に比較して踏み込み側第２傾斜部１６Ｆｂの円弧状部分の曲率半径Ｒａ、及び蹴り出し側第２傾斜部１６Ｋｂの円弧状部分の曲率半径Ｒｂが大きく設定されており、踏み込み側第２傾斜部１６Ｆｂの円弧状部分と蹴り出し側第２傾斜部１６Ｋｂの円弧状部分とが滑らかに接続されている。
本実施形態の空気入りタイヤ１０もＡ１＜Ｂ１、Ａ２＜Ｂ２に設定されているので、第１の実施形態と同様に、ラグ溝１６の排水性能に必要な溝のボリュームを確保しつつ、各ブロックのブロック剛性を高めることができる。
また、本実施形態では、曲率半径Ｒａ、及び曲率半径Ｒｂが第１の実施形態よりも大きく設定されているため、第１の実施形態よりもブロック剛性を高めることが出来る。
【００７２】
［第４の実施形態］
次に、本発明の第４の実施形態に係る空気入りタイヤ１０を図７〜図１０にしたがって説明する。なお、第１の実施形態と同一構成には同一符号を付し、その説明は省略する。
図７に示すように、本実施形態の空気入りタイヤ１０は、ラグ溝１６のタイヤ赤道面ＣＬ側の端部における溝深さＤ０に対して、ラグ溝１６の溝底１６Ｂの交点Ｐ１と交点Ｐ３（１／３点Ｐ２の直下）との間における平均の溝深さＤ１が９０％以上に設定されている。
【００７３】
このように、ラグ溝１６の溝深さがＤ１≦９０％Ｄ０に設定されている場合は、図７、及び図８に示すように、１／３点Ｐ２からタイヤ幅方向外側に配置されるサイプ２８、すなわち本実施形態では、ショルダー側ブロック２６のサイプ２８の内部に、ショルダー側ブロック２６のブロック剛性を高めるために、溝底１６Ｂから隆起して溝深さを浅くする底上げ部３２を設けることが好ましい。
【００７４】
図７、及び図８に示すように、サイプ２８に設ける底上げ部３２の長さＬ’は、ブロック剛性を高めるために、１．５ｍｍ以上に設定することが好ましい。
図７に示すように、底上げ部３２の高さ寸法（サイプ２８の溝底から計測）ｈは、サイプ２８の溝深さ寸法よりも小さく、底上げ部３２の頂部の位置は、トレッド１２の踏面１２Ａよりも低い（即ち、タイヤ径方向内側にある。）。本実施形態では、サイプ２８に底上げ部３２が２個設けられているが、少なくとも１個設けられていれば良く、３個以上設けられていても良く、ブロック剛性を高めたい部位に設けることができる。
【００７５】
図７、及び図８に示すように、ショルダー側ブロック２６において、タイヤ幅方向内側端からタイヤ幅方向外側に向けて延び、かつ接地端１２Ｅを横断する複数のサイプ２８が形成され、該サイプ２８がラグ溝１６の溝深さの６０％以上の溝深さを有する場合、これら複数のサイプ２８の内の少なくとも半数以上のサイプ２８においては、ショルダー側ブロック２６の接地端１２Ｅ側のブロック剛性を高めるために、接地端１２Ｅからタイヤ幅方向内側へ２０ｍｍの範囲内に、高さｈが２ｍｍ以上４ｍｍ以下の底上げ部３２（本発明の第１の底上げ部）を設けることが好ましい。ここで、底上げ部３２の高さｈが２ｍｍ未満では、ブロック剛性を高める効果が不足し、底上げ部３２の高さｈが４ｍｍを超えると、ブロック剛性が部分的に高くなり過ぎる。
【００７６】
さらに、ショルダー側ブロック２６のタイヤ幅方向内側のブロック剛性を高めるために、ショルダー側ブロック２６のタイヤ幅方向内側端から接地端１２Ｅ側に向けてショルダー側ブロック２６の接地幅（タイヤ幅方向の）の４０％の範囲内に底上げ部３２（本発明の第２の底上げ部）を設けることが好ましい。なお、ブロック２６のタイヤ幅方向内側端から接地端１２Ｅ側に向けてショルダー側ブロック２６の接地幅（タイヤ幅方向の）の４０％の範囲に設ける底上げ部３２の高さは、２ｍｍ以上５ｍｍ以下とすることが好ましい。
【００７７】
図８に示すように、ショルダー側ブロック２６のタイヤ幅方向内側端から接地端１２Ｅ側に向けてショルダー側ブロック２６の接地幅（タイヤ幅方向の）ＢＷの４０％の範囲において、各サイプ２８に底上げ部３２が設けられ、各底上げ部３２が一方向沿って直線状に並んでブロック剛性が部分的に高くなり過ぎるような場合には、図示は省略するが、高さの高い底上げ部３２（例えば、高さ５ｍｍの底上げ部３２）を備えたサイプ２８と、高さの高い底上げ部３２に対して相対的に高さの低い底上げ部３２（例えば、高さ２ｍｍの底上げ部３２）を備えたサイプ２８とを、タイヤ周方向に交互に配置することが好ましい。これにより、ショルダー側ブロック２６のタイヤ幅方向内側部分のブロック剛性を適度に高め、ショルダー側ブロック２６の耐摩耗性を向上することができる。
【００７８】
また、ショルダー側ブロック２６に底上げ部３２を備えた複数のサイプ２８が形成され、かつ各底上げ部３２が一方向に沿って直線状に並んでブロック剛性が部分的に高くなり過ぎるような場合には、図９に示すように、底上げ部３２を設けたサイプ２８と、底上げ部３２を設けていないサイプ２８とをタイヤ周方向に交互に配置することで、ブロック剛性の部分的な高まりを抑え、ブロック剛性を適度に高めることも出来る。
【００７９】
さらに、底上げ部３２を設けたサイプ２８をタイヤ周方向に複数並べる場合、タイヤ周方向に隣接するサイプ２８の底上げ部３２がタイヤ周方向に互いに隣り合わないように、図１０に示すように、一方のサイプ２８の底上げ部３２と他方のサイプ２８の底上げ部３２とをタイヤ幅方向にずらすことで、ブロック剛性の部分的な高まりを抑え、ブロック剛性を適度に高めることも出来る。
【００８０】
［第５の実施形態］
次に、本発明の第５の実施形態に係る空気入りタイヤ１０を図１１にしたがって説明する。なお、前述した実施形態と同一構成には同一符号を付し、その説明は省略する。
図１１に示すように、本実施形態の空気入りタイヤ１０のラグ溝１６には、接地端１２Ｅからタイヤ幅方向内側へ向けて、踏面１２Ａと溝底１６Ｂとが平行とされた溝深さが一定の平行部分１６Ｂｂが設けられており、平行部分１６Ｂｂのタイヤ幅方向内側に、溝深さが深くなる方向に傾斜した傾斜部分１６Ｂａが設けられている。なお、傾斜部分１６Ｂａのタイヤ幅方向内側端からタイヤ赤道面ＣＬ側へ向けては、踏面１２Ａと溝底１６Ｂとが平行とされ溝深さが一定に設定されている。なお、本実施形態においても、交点Ｐ１から交点Ｐ３に至るラグ溝１６の溝底１６Ｂは、路面３１に接した踏面１２Ａに対する平均の傾斜角度θ１が５°以下に設定されている。
【００８１】
本実施形態の空気入りタイヤ１０のラグ溝１６の溝底１６Ｂは、交点Ｐ１から交点Ｐ３までの間が、一定角度で傾斜しておらず、接地端１２Ｅ側に踏面１２Ａに対して平行な平行部分１６Ｂｂが設けられているが、交点Ｐ１から交点Ｐ３に至るラグ溝１６の溝底１６Ｂの平均の傾斜角度が５°以下に設定されており、接地端１２Ｅ付近では、溝底１６Ｂと踏面１２Ａ（路面３１）とが平行で、溝深さが一定となっているため、ラグ溝１６の内部に取り込まれた水は、接地端１２Ｅ付近において乱流を生ずることなくスムーズに流れ、接地端１２Ｅから接地面外側へ排水される。
【００８２】
［その他の実施形態］
以上、本発明の一実施形態について説明したが、本発明は、上記に限定されるものでなく、上記以外にも、その主旨を逸脱しない範囲内において種々変形して実施可能であることは勿論である。
ラグ溝１６においては、少なくとも、Ａ１＜Ｂ１、及びＡ２＜Ｂ２の少なくとも一方が設定されていれば良く、ラグ溝１６の断面形状、即ち、踏み込み側の溝側壁１６Ｆ、及び蹴り出し側の溝側壁１６Ｋ、及び溝底１６Ｂの断面形状は、図４，５，６に示したものに限らず、円弧以外の曲線で形成されていても良く、種々の変更が可能である。また、比率Ｂ１／Ａ１と、比率Ｂ２／Ａ２とを対比したときに、比率Ｂ１／Ａ１＞比率Ｂ２／Ａ２に設定されても良く、比率Ｂ１／Ａ１＝比率Ｂ２／Ａ２に設定されても良い。
【００８３】
［試験例１］
また、本発明の効果を確かめるため、従来例、比較例、及び本発明の適用された実施例のタイヤ１〜５を試作した。各タイヤは、図１で示されるトレッドパターンを有しており、ラグ溝の溝底の接地端付近の形状が異なっている。なお、実施例１〜４は、サイプに底上げ部が無く、実施例５は、サイプに底上げ部が設けられている。
上記各タイヤについて、ウエット路面でのハイドロプレーニング性能（排水性能）、ドライ路面での制動性能、及び耐摩耗性を評価する以下の試験を行った。
以下に供試タイヤについて説明する。
【００８４】
・従来例：ラグ溝は、タイヤ赤道面側の端部から１／３点までの溝深さが９ｍｍで一定あり、１／３点から接地端に向けて溝底が６°で傾斜している。
・実施例１：タイヤ赤道面側の端部から１／３点までの溝深さが９ｍｍで一定あり、１／３点から接地端に向けて溝底が５°で傾斜している。
・実施例２：タイヤ赤道面側の端部から１／３点までの溝深さが９ｍｍで一定あり、１／３点から接地端に向けて溝底が１°で傾斜している。
・比較例１：ラグ溝は、タイヤ赤道面側の端部から接地端に向けて溝深さが９ｍｍで一定とされている。
・実施例３：・図１１に示すように、ラグ溝１６の溝底１６Ｂには、接地端１２Ｅ付近に溝深さが一定の平行部分１６Ｂｂが設けられており、平行部分１６Ｂｂのタイヤ幅方向内側に溝深さが深くなる方向に傾斜した傾斜部分１６Ｂａが設けられている。なお、溝底１６Ｂは、１／３点から接地端に向けて３°(平均の傾斜角度θ１）で傾斜している。実施例３において、平行部分１６Ｂｂの溝長手方向に計測した長さは１２ｍｍ、傾斜部分１６Ｂａの溝長手方向に計測した長さは１２ｍｍ、傾斜部分１６Ｂａの傾斜角度θａ（計測の基準は傾斜角度θ１と同一）は５°である。
・実施例４：実施例３と同様に、ラグ溝１６の溝底１６Ｂには、平行部分１６Ｂｂと傾斜部分１６Ｂａとが設けられている。なお、溝底１６Ｂは、１／３点から接地端に向けて３°(平均の傾斜角度θ１）で傾斜している。実施例４において、平行部分１６Ｂｂの溝長手方向に計測した長さは１８ｍｍ、傾斜部分１６Ｂａの溝長手方向に計測した長さは６ｍｍ、傾斜部分１６Ｂａの傾斜角度θａ（計測の基準は傾斜角度θ１と同一）は３°である。
実施例５：実施例３において、サイプに底上げ部を設けたタイヤ。
【００８５】
＜ハイドロプレーニング性能（直線）＞
タイヤサイズ１９５／６５Ｒ１５の上記各供試タイヤを適用リムに組み込んで、内圧を２００ｋＰａとして乗用車の右前輪に装着し、車両の右側を水深１０ｍｍの路面にセットし、車両を加速させ、タイヤが空転する速度をハイドロプレーニング発生速度とした。
評価は、従来例にかかるタイヤのハイドロプレーニング発生速度を１００としたときの相対値で指数評価し、数値が大きい方がハイドロプレーニング発生速度が高く、ハイドロプレーニング性能に優れていることを表す。
【００８６】
＜ドライ路面での制動性能＞
タイヤサイズ１９５／６５Ｒ１５の上記各タイヤを適用リムに組み込んで、時速１００ｋｍ／ｈにてブレーキを掛けて停止するまでの減速度（Ｇ）より制動距離を計算した。
評価は、従来例の制動距離の逆数を１００とする指数表示とし、数値が大きいほど制動距離が短く、制動性能に優れていることを表す。
【００８７】
＜耐摩耗性＞
タイヤサイズ１９５／６５Ｒ１５の上記各タイヤを適用リムに組み込んで、装着する車両に規定されている内圧（２００ｋＰａ）、及び規定荷重（４．３ｋＮ）を負荷し、ドラム試験機にて５０００ｋｍ走行後の摩耗量より、摩耗ライフを推定した。なお、摩耗ライフは、タイヤ上の何れかの主溝が完全に摩耗するときを想定している。
評価は、従来例にかかるタイヤの摩耗ライフを１００とした指数表示とし、数値が大きいほど耐摩耗性に優れていることを表す。
【表１】
0006482396.tif 000002
【００８８】
表１に示すように、本発明の適用された実施例１〜５のタイヤは、ハイドロプレーニング性能、制動性能、及び耐摩耗性に優れていることがわかる。
【符号の説明】
【００８９】
１０・・・空気入りタイヤ、１２・・・トレッド、１２Ａ・・・踏面、１２Ｅ・・・接地端、１４・・・センター周方向溝、１６・・・ラグ溝、２０・・・ショルダー側周方向溝、２２・・・センター側ブロック、２６・・・ショルダー側ブロック、Ｐ１・・・交点、Ｐ２・・・1／３点、ＦＬ１・・・仮想線、ＦＬ２・・・仮想線、Ｐ３・・・交点、θ１・・・傾斜角度、θ２・・・傾斜角度、２８・・・サイプ、３２・・・底上げ部
【図１】
0006482396.tif 000003
【図２】
0006482396.tif 000004
【図３】
0006482396.tif 000005
【図４】
0006482396.tif 000006
【図５】
0006482396.tif 000007
【図６】
0006482396.tif 000008
【図７】
0006482396.tif 000009
【図８】
0006482396.tif 000010
【図９】
0006482396.tif 000011
【図１０】
0006482396.tif 000012
【図１１】
0006482396.tif 000013